(57)【特許請求の範囲】
【請求項１】
床面上に設置されるキャビネットの免震装置であって、
前記キャビネットの下部フレームの下面側に設けられ、前記キャビネットを前記床面上で移動自在に支持する複数のローラ部材と、
前記キャビネットの内部における前記下部フレームの上面側に上下に延びて設けられ、前記下部フレームに形成される切り欠き部の上方に延びるスプリング取付空間を形成するブラケットと、
上端部が前記ブラケットの上部に取り付けられるとともに下端部が前記床面に取り付けられて前記切り欠き部を通って前記スプリング取付空間内に上下に延びて配設され、前記キャビネットが前記床面上の初期位置から移動したときに前記キャビネットを前記初期位置に引き戻す復元力を生じるばね部材とを有してなることを特徴とするキャビネットの免震装置。
【請求項２】
前記ブラケットが前記キャビネットと別個の部材からなり、
前記ばね部材の前記上端部を前記ブラケットの上部に取り付けるとともに前記下端部を前記床面に取り付け、前記ブラケットを前記下部フレームの上面側に載せ、前記ブラケットを垂直状態にして前記下部フレームに固定することにより、前記スプリング取付空間内に前記ばね部材が配設された状態で前記ブラケットが前記下部フレームに取り付けられることを特徴とする請求項１記載のキャビネットの免震装置
【請求項３】
前記キャビネットが前記初期位置に位置しているときの前記ばね部材の長さを可変に設定できるようになっていることを特徴とする請求項１又は２記載のキャビネットの免震装置。
【発明の詳細な説明】
【０００１】
【発明の属する技術分野】
本発明は、床面上に設置されるキャビネットに取り付けられ、床面の激しい揺れに対してキャビネットの揺れを小さく抑えるキャビネットの免震装置に関する。
【０００２】
【従来の技術】
従来、床面上に設置されるキャビネットにおける地震対策としては、キャビネット本体を床面或いは壁面に強固に固定することによりキャビネットが倒れないようにし、且つこの振動によりキャビネット構造が破壊したりしないようにする耐震構造が主であった。
【０００３】
【発明が解決しようとする課題】
しかしながら、このような耐震構造においては、キャビネットそのものは倒れなくても、キャビネットの中の収納物が外に飛び出したりキャビネット内でぶつかり合って破損したりする虞があった。
【０００４】
本発明はこのような問題に鑑みてなされたものであり、床面が地震等により激しく揺れてもキャビネットは緩やかに揺れるようにし、キャビネットが倒れたり収納物が飛び出したりする危険性を小さくするキャビネットの免震装置を提供することを目的としている。
【０００５】
【課題を解決するための手段】
本発明は床面上に設置されるキャビネットの免震装置であって、キャビネットの下部フレームの下面側に設けられ、キャビネットを床面上で移動自在に支持する複数のローラ部材と、キャビネットの前記下部フレームの上面側に上下に延びて設けられ、下部フレームに形成される切り欠き部の上方に延びるスプリング取付空間を形成するブラケットと、上端部がブラケットの上部に取り付けられるとともに下端部が床面に取り付けられて切り欠き部を通ってスプリング取付空間内に上下に延びて配設され、キャビネットが床面上の初期位置から移動したときにキャビネットをその初期位置に引き戻す復元力を生じるばね部材（例えば、実施形態におけるスプリング４０）とを有する。ここで、キャビネットの床面上の初期位置とは、そのキャビネットを通常設置しておく床面上の位置のことである。
【０００６】
このような構成においては、ばね部材の持つ復元力と減衰力とから、地震等により床面が激しく揺れてもキャビネットの揺れが小さく抑えられる免震効果が発揮される。このため本装置によれば、地震等により床面が揺れたときにキャビネットが倒れたり、収納物がキャビネット内から飛び出したりする危険性を小さくすることができる。
【０００７】
ここで、ブラケットがキャビネットと別個の部材からなり、ばね部材の上端部をブラケットの上部に取り付けるとともに下端部を床面に取り付け、ブラケットを下部フレームの上面側に載せ、ブラケットを垂直状態にして下部フレームに固定することにより、スプリング取付空間内にばね部材が配設された状態でブラケットが下部フレームに取り付けるように構成しているのであれば、ばね部材のブラケットの取り付けが容易になる。また、既存のキャビネットに対して本免震装置を適用することも可能となる。更に、キャビネットが初期位置に位置しているときのばね部材の長さ（初期長さ）を可変に設定できるようになっていることが好ましい。このような構成では、ばね部材に与える初期張力を任意に設定することができるので、ブラケット及びばね部材をキャビネットの大きさや重量等に応じて個々に設計する必要がなくなる。このため設計自由度が高くなり、本装置の生産性も向上する。
【０００８】
【発明の実施の形態】
以下、図面を参照して本発明の好ましい実施形態について説明する。先ず、図１〜図５に基づいて、本発明に係るキャビネットの免震装置の第１実施形態を説明する。図１に示すように、本装置による免震の対象となるキャビネット１０は枠状の下部フレーム１１とその上に設けられる本体部１２とを有し、下部フレーム１１の四隅には球状部材２１をハウジング２２により転動自在に支持してなるローラ部材２０が取り付けられている。これらローラ部材２０によりキャビネット１０は床面Ｆ上を自在に移動することができる。
【０００９】
図２はこのキャビネット１０の下部フレーム１１の一部（一隅）を示す平面図であり、図３は図２における矢視III−IIIから見た側断面図である。図２及び図３に示すように、下部フレーム１１の水平部１１ａには、下部フレーム１１と本体部１２とを連結する本体支持部材１３が上下方向に延びて設けられており、この本体支持部材１３の近傍には、細長い枠状構造のブラケット３０が上下に延びて設けられている。このブラケット３０は下部フレーム１１の四隅各所に設けられる。
【００１０】
図２〜図４に示すように、各ブラケット３０は上下に延びた後壁部３１及び両側壁部３２，３２、水平な上壁部３３、両側壁部３２，３２の下端部より両側方（図２では紙面の上下方向）に向けて水平に延びたフランジ部３４，３４を有しており、これらフランジ部３４，３４が下部フレーム１１の水平部１１ａ上にボルト３５（及びナット３５ａ）により着脱自在に結合されている。各ブラケット３０には、後壁部３１と両側壁部３２，３２とにより囲まれてなる上下に延びたスプリング取付空間Ｈが形成されるが、このスプリング取付空間Ｈの底部に相当する下部フレーム１１の水平部１１ａの部分は除去されており、図５に示すように切り欠き部１４が形成されている。
【００１１】
図３に示すように、ブラケット３０の上壁部３３に穿設された孔（図示せず）には調整ねじ３６が下から上へ向けて貫装されており、この調整ねじ３６の上端部側には、ブラケット３０の上壁部３３に形成された上記孔の内径よりも大きい外形を有する支持ナット３７が螺合されている。
【００１２】
ブラケット３０の上記スプリング取付空間Ｈ内には、断面コの字状に形成されたスプリング取付部材３８の上片部３８ａが調整ねじ３６の下端部に形成された頭部３６ａに係止された状態で位置しており、このスプリング取付部材３８の下片部３８ｂに形成された図示しない孔には、スプリング取付空間Ｈ内を上下に延びたスプリング４０の上部フック４１が係止されている。
【００１３】
床面Ｆ上には各ブラケット３０に上部フック４１が係止された４つのスプリング４０それぞれの下部フック４２が係止されるスプリング取付金具５０が計４個取り付けられている。各スプリング取付金具５０は、複数のボルト５３により床面Ｆ上に取り付けられた水平部５１と、この水平部５１から上方に突出するように延びて形成された垂直部５２とを有しており、この垂直部５２に穿設された孔５２ａに、スプリング４０の下部フック４２が係止されている。なお、これら４つのスプリング取付金具５０は、キャビネット１０を床面Ｆ上の初期位置（そのキャビネット１０を通常設置しておく床面Ｆ上の位置）に位置させたときに、各スプリング４０の軸線が床面Ｆに対して垂直になる位置に取り付けられる。
【００１４】
各スプリング４０の上記所定位置への取り付けは、ブラケット３０を下部フレーム１１に取り付けた状態から行ってもよいが、上部フック４１をスプリング取付部材３８に係止した状態でスプリング４０を伸長させつつ下部フック４２をスプリング取付金具５０に係止する（或いは下部フック４２をスプリング取付金具５０に係止した状態でスプリング４０を伸長させつつ、上部フック４１をスプリング取付部材３８に係止する）作業は一般に困難である。このため各スプリング４０の取り付けは、図４に示すように、ブラケット３０を下部フレーム１１に取り付ける前に予めスプリング４０の上下フック４１，４２をスプリング取付部材３８とスプリング取付金具５０それぞれに係止しておき、その上で、スプリング４０を伸長させつつブラケット３０を上方に引き上げて両フランジ部３４，３４を下部フレーム１１の水平部１１ａ上に斜め方向から載せ（図４（Ａ）参照）、ブラケット３０が垂直状態になったところで位置決めをして下部フレーム１１に取り付ける（図４（Ｂ）参照）、という手順で行うことが好ましい。なお、図４は図２における矢視IV−IVから見ている。
【００１５】
上記手順により各スプリング４０が所定の位置に取り付けられたら、各ブラケット３０に設けられた上述の調整ねじ３６を捻り操作してスプリング取付部材３８を昇降移動させ、キャビネット１０が初期位置に位置しているときの各スプリング４０の長さ、すなわち初期長さを調節することにより、キャビネット１０が初期位置に位置している状態における各スプリング４０のばね力を所望の値に設定する。ここで、各スプリング４０の初期長さを自然長より長く設定することによりそのスプリング４０に初期張力（引張力）を与えることができるが、この初期張力は必ずしも与えなくてもよい（この場合、初期長さを自然長と同じ長さにする）。
【００１６】
このように本実施形態に係る免震装置は、キャビネット１０と床面Ｆとが複数のスプリング４０により結合された構成となっている。このため、地震等により床面Ｆが激しく揺れてキャビネット１０が床面Ｆ上の初期位置から移動した際には、スプリング４０には、キャビネット１０をその初期位置に引き戻そうとする復元力が作用し、スプリング４０自身の有する減衰と相まってキャビネット１０の揺れが小さく抑えられる免震効果が得られる。このため本装置によれば、地震等により床面Ｆが揺れたときにキャビネット１０が倒れたり、収納物がキャビネット１０内から飛び出したりする危険性を小さくすることができる。
【００１７】
ここで、キャビネット１０が床面Ｆ上の初期位置から移動すると、図６に示すように、各スプリング４０におけるブラケット３０より下方に延びた部分は、ブラケット３０の側壁３２とフランジ部３４との間の屈曲部及び下部フレーム１１の水平部１１ａに形成された上述の切り欠き部１４のエッジに当接し、スプリング４０が縮むときにこれらを挟み込んでしまい、所要の効果が得られなくなる虞がある。このような事態を防止するため、図５に示すように、ブラケット３０の側壁３２とフランジ部３４との間の屈曲部Ｃを適当な曲率を有する曲面状に形成しておくとともに、切り欠き部１４のエッジはこの屈曲部Ｃよりも外方に位置するようにしておくことが好ましい。或いは図７に示すように、スプリング４０の下部フック４２を直接スプリング取付金具５０に係止するのではなく、上端部に輪状部６１、下端部にフック６２が設けられたワイヤ６０を介装させ、このワイヤ６０の輪状部６１にスプリング４０の下部フック４２を係止し、スプリング取付金具５０にはこのワイヤ６０のフック６２を係止させるようにしてもよい。このようにすれば、屈曲部Ｃや切り欠き部１４のエッジにはワイヤ６０が当接する事となり、上記のような問題は生じなくなる。
【００１８】
図８は本発明に係るキャビネットの免震装置の第２実施形態を示している。免震の対象となるキャビネット１１０が下部フレーム１１１とその上に設けられる本体部（図示せず）とを有し、下部フレーム１１１の下端部の四隅には球状部材１２１をハウジング１２２により転動自在に支持してなるローラ部材１２０がボルト１２３により取り付けられて、キャビネット１１０が床面Ｆ上を自在に移動できるようになっているのは上記第１実施形態において示したキャビネット１０の場合と同様である。ここで、図８（Ａ）は下部フレーム１１１の一部（一隅）をキャビネット１１０の内方から（図２における矢視III−IIIに相当する方向）見た側断面図、図８（Ｂ）は図８（Ａ）における矢視Ｂ−Ｂから見た側断面図である。
【００１９】
この第２実施形態におけるブラケット１３０は、図９に示すように上下方向に延びた中央部１３１と、その両端に形成されたフランジ部１３４，１３４とを有しており、両フランジ部１３４，１３４が複数のボルト１３５により下部フレーム１１１の垂直部１１１ａに固定されている（図８参照）。また、ブラケット１３０の中央部１３１には両フランジ部１３４，１３４とほほ平行に延びて側方に突出した張出部１３２，１３２が設けられており、これら両張出部１３２，１３２には上下に延びた溝１３３，１３３が形成されている。中央部１３１の下端部は下部フレーム１１１の水平部１１１ｂの上面に上方から当接しており、下部フレーム１１１の水平部１１１ｂの下方から上記両溝１３３，１３３の下部に形成された雌ねじ部（図示せず）に螺合した２本のボルト１３９，１３９により、両張出部１３２，１３２は下部フレーム１１１の水平部１１１ｂに固定された状態となっている。なお、このブラケット１３０は上記第１実施形態の場合と同様、下部フレーム１１１の四隅各所に設けられる。
【００２０】
各ブラケット１３０の中央部１３１には上下に延びた円筒状のスプリング取付空間Ｈが形成されており、このスプリング取付空間Ｈ内を上下に延びる調整ねじ１３６の上端部側には、スプリング取付空間Ｈの内径よりも大きい外形を有する支持ナット１３７が螺合されている。
【００２１】
ブラケット１３０のスプリング取付空間Ｈ内には、断面コの字状に形成されたスプリング取付部材１３８の上片部１３８ａが上記調整ねじ１３６の頭部１３６ａに係止された状態で位置しており、このスプリング取付部材１３８の下片部１３８ｂに形成された図示しない孔には、スプリング取付空間Ｈ内を上下に延びたスプリング１４０の上部フック１４１が係止されている。
【００２２】
床面Ｆ上には各ブラケット１３０に上部フック１４１が係止された４つのスプリング１４０それぞれの下部フック１４２が係止される４つのスプリング取付金具１５０が取り付けられている。各スプリング取付金具１５０は、複数のボルト１５３により床面Ｆ上に取り付けられた水平部１５１と、この水平部１５１から上方に突出するように延びて形成された垂直部１５２とを有しており、この垂直部１５２に穿設された孔１５２ａに、スプリング１４０の下部フック１４２が係止される。なお、これら４つのスプリング取付金具１５０は、キャビネット１１０を床面Ｆ上の初期位置に位置させたときに、各スプリング１４０の軸線が床面Ｆに対して垂直になる位置に取り付けられる。
【００２３】
各スプリング１４０は、上部フック１４１をスプリング取付部材１３８の下片部１３８ｂに係止させた状態でブラケット１３０の上方側からスプリング取付空間Ｈ内に挿入し、ブラケット１３０の下方から出てきた下部フック１４１を床面Ｆ上のスプリング取付金具１５０の垂直部１５２に係止した後、ブラケット１３０を上方に引き上げて（このとき支持ナット１３７はブラケット１３０の中央部１３１の上面に当接するのでスプリング１４０は伸長する）、その中央部１３１を下部フレーム１１１の水平部１１１ｂに載せるという手順で取り付けることが好ましい。また、このようにして各スプリング１４０が所定の位置に取り付けられたら、各ブラケット１３０に設けられた調整ねじ１３６を捻り操作してスプリング取付部材１３８を昇降移動させ、キャビネット１１０が初期位置に位置しているときの各スプリング１４０に適当なばね力を与える。
【００２４】
このように本実施形態に係る免震装置においても、キャビネット１１０と床面Ｆとが複数のスプリング１４０により結合された構成となっており、地震等により床面Ｆが激しく揺れてキャビネット１４０が床面Ｆ上の初期位置から移動した際にはスプリング１４０に復元力と減衰とが作用するので、上述の第１実施形態に係る免震装置の場合と同様の効果が得られる。
【００２５】
図１０は本発明に係るキャビネットの免震装置に類似する構成形態を示している。免震の対象となるキャビネット２１０が下部フレーム２１１とその上に設けられる本体部（図示せず）とを有し、下部フレーム２１１の下端部の四隅には球状部材２２１をハウジング２２２により転動自在に支持してなるローラ部材２２０がボルト２２３により取り付けられて、キャビネット２１０が床面Ｆ上を自在に移動できるようになっているのは上記第１又は第２実施形態に係る免震装置の場合と同様である。ここで、図１０は下部フレーム２１１の一部（一隅）をキャビネット２１０の内方（図２における矢視III−IIIに相当する方向）から見た側断面図である。
【００２６】
この構成形態におけるブラケット２３０は上述の第２実施形態において示したブラケット１３０と同様の構成を有しており、中央部２３１（ブラケット１３０における中央部１３１に相当）の両端に形成されたフランジ部２３４，２３４（ブラケット１３０におけるフランジ部１３４，１３４に相当）は、下部フレーム２１１の水平部２１１ａにその下面側から複数のボルト２３５によりに固定される。このブラケット２３０も上記第１及び第２実施形態の場合と同様、下部フレーム２１１の四隅各所に設けられる。
【００２７】
各ブラケット２３０の中央部２３１には水平方向に延びた円筒状のスプリング取付空間Ｈが形成されており、このスプリング取付空間Ｈ内を延びる調整ねじ２３６の端部（図１０では右端部）側には、スプリング取付空間Ｈの内径よりも大きい外形を有する支持ナット２３７が螺合されている。このため、調整ねじ２３６の頭部２３６ａが図の左方に引っ張られた状態では、支持ナット２３７は中央部２３１の端面（図１０では右側端面）に右方から当接することとなり、この状態で調整ねじ２３６を軸まわりに捻ることにより、中央部２３１の右端面に対する調整ねじ２３６の頭部２３６ａの位置、すなわち中央部２３１の右端面と上記頭部２３６ａとの間の距離を所望に調節することができる。
【００２８】
スプリング取付空間Ｈ内には、断面コの字状に形成されたスプリング取付部材２３８が上記調整ねじ２３６の頭部２３６ａに係止された状態で位置しており、このスプリング取付部材２３８には、スプリング取付空間Ｈ内を水平方向に延びたスプリング２４０の上部フック２４１が係止されている。
【００２９】
一方、床面Ｆ上には各スプリング２４０の下部フック２４２が係止されるスプリング取付金具２５０が取り付けられている。各スプリング取付金具２５０は、複数のボルト２５３により床面Ｆに取り付けられた水平部２５１と、この水平部２５１から上方に突出するように延びて形成された垂直部２５２を有しており、この垂直部２５２に穿設された孔（図示せず）に、スプリング２４０の下部フック２４２が係止されている。なお、これら４つのスプリング取付金具２５０は、キャビネット２１０を初期位置に位置させた状態で床面Ｆ上に取り付けられる。
【００３０】
各スプリング２４０を所定位置に取り付ける際の手順は上記第２実施形態の場合と同様であるのでその説明は省略するが、この場合も各スプリング２４０が所定の位置に取り付けられたら、各ブラケット２３０に設けられた調整ねじ２３６を捻り操作してスプリング取付部材２３８を移動させ、各スプリング２４０に適当なばね力を与えるようにする。
【００３１】
このように本構成形態においても、キャビネット２１０と床面Ｆとが複数のスプリング２４０により結合された構成となっており、地震等により床面が激しく揺れてキャビネット２４０が床面Ｆ上の初期位置から移動した際にはスプリング２４０に復元力と減衰とが作用するので、上述の第１又は第２実施形態に係る免震装置の場合と同様の効果が得られる。
【００３２】
これまで本発明の好ましい実施形態について説明してきたが、本発明の範囲は上述のものに限定されない。例えば、上述の実施形態では、ブラケット及びばね部材（スプリング）はそれぞれ４つずつキャビネットに設けられる構成であったが、これは一つの例であり、必ずしも４つずつでなくてもよい。また、ブラケットと床面とを結合するばね部材は上述の実施形態のようなスプリングに限られず、ゴム等の弾性部材であってもよい。
【００３３】
また、上述の実施形態では、ブラケットとキャビネットとは別個の部材からなっていたが、これは同一の部材、すなわちキャビネットを構成するフレームの一部にブラケット（ブラケット部）が形成されているのであってもよい。しかし、上述の実施形態のように、ブラケットがキャビネットと別個の部材であれば、ばね部材のブラケットへの取り付けが容易になるという利点がある。また、既存のキャビネットに対して本免震装置を適用することも可能となる。
【００３４】
更に、上述の実施形態において示した、キャビネットが初期位置に位置しているときのばね部材の長さ（初期長さ）を可変に設定できる構成は必ずしも備えていなくてよいが、このような構成を有していれば、ばね部材に与える初期張力を任意に設定することができ、ブラケット及びばね部材をキャビネットの大きさや重量等に応じて個々に設計する必要がなくなるので設計自由度が高くなり、本装置の生産性も向上する。
【００３５】
【発明の効果】
以上説明したように、本発明に係るキャビネットの免震装置においては、キャビネットの下部に設けられ、キャビネットを床面上で移動自在に支持する複数のローラ部材と、キャビネットに設けられたブラケットと、上端部がブラケットに取り付けられるとともに下端部が床面に取り付けられ、キャビネットが床面上の初期位置から移動したときにキャビネットをその初期位置に引き戻す復元力を生じるばね部材とを有して構成されており、ばね部材の持つ復元力と減衰力とから、地震等により床面が激しく揺れてもキャビネットの揺れが小さく抑えられる免震効果が発揮される。このため本装置によれば、地震等により床面が揺れたときにキャビネットが倒れたり、収納物がキャビネット内から飛び出したりする危険性を小さくすることができる。
【図面の簡単な説明】
【図１】  本発明の第１実施形態に係る免震装置を備えたキャビネットの斜視図である。
【図２】  キャビネットの下部フレームの一部を示す平面図である。
【図３】  図２における矢視III−IIIから見た側断面図である。
【図４】  ブラケットの取り付け手順を（Ａ），（Ｂ）の順で示した、図２における矢視IV−IVから見た側断面図である。
【図５】  ブラケットにおける側壁とフランジ部とがなす屈曲部近傍の拡大図である。
【図６】  キャビネットが床面上の初期位置から移動したときの、スプリングの姿勢を示す図である。
【図７】  スプリングの取り付け方の変形例を示す図である。
【図８】  本発明の第２実施形態に係る免震装置の構成を示す図であり、（Ａ）はキャビネットを内方から見た側断面図、（Ｂ）は（Ａ）における矢視Ｂ−Ｂから見た側断面図である。
【図９】  この第２実施形態に係る免震装置の用いられるブラケットの斜視図である。
【図１０】  本発明の類似形態に係る免震装置の構成を示すキャビネットの側断面図である。
【図１】
0003746201.tif 000002
【図２】
0003746201.tif 000003
【図３】
0003746201.tif 000004
【図４】
0003746201.tif 000005
【図５】
0003746201.tif 000006
【図６】
0003746201.tif 000007
【図７】
0003746201.tif 000008
【図８】
0003746201.tif 000009
【図９】
0003746201.tif 000010
【図１０】
0003746201.tif 000011